(57)【要約】【課題】  一般家庭、高齢者や障害者を抱える家庭のトイレに、脱臭装置を簡易に取り付け・取り外しができるもの。【解決手段】    一般家庭用等のトイレにおいて、トイレの便座の蓋周辺部分を中空とし、この中空部分に便器内と連通する適宜数の連通孔を有すると共に、該中空部が吸引装置に連結され、吸引した便臭を脱臭装置に導入し、排便後の便臭を集気し、消臭する。【選択図】      図１
2005163512.tif 000002
【特許請求の範囲】
【請求項１】
一般家庭用等の主に洋式トイレにおいて、トイレの便座の蓋周辺部分を中空とし、この中空部分に便器内と連通する適宜数の連通孔を有すると共に、該中空部が吸引装置に連結され、排便後の便臭を集気し、トイレ外へ排出することを特徴とする簡易脱臭装置。
【請求項２】
トイレの便器の縁部分に中空部を設けるか、又は該縁部分に沿って中空パイプを取り付け、この中空部分に便器内と連通する適宜数の連通孔を有すると共に、該中空部が吸引装置に連結され、排便後の便臭を集気し、トイレ外へ排出することを特徴とする簡易脱臭装置。
【請求項３】
吸引した便臭を脱臭装置に導入し、便臭を脱臭してトイレ内又はトイレ外へ排出する請求項１又は２の簡易脱臭装置。
【請求項４】
吸引装置の作動が、トイレのドアの開閉と連動し、ドアを開いた後、又は手動スイッチにより、吸引装置が約５分間作動するタイマーが吸引装置に装置された請求項１，２，３のいずれかの簡易脱臭装置。
【請求項５】
吸引装置の作動は、トイレ使用者が便座に荷重をかけた場合に連動し、作動するスイッチが吸引装置に装置された請求項１，３のいずれかの簡易脱臭装置。
【請求項６】
室内据え置き式ポータブルトイレにおいて、トイレ使用時、及び使用後の一定時間、間歇的に吸引装置が作動する請求項１，３，５のいずれかの簡易脱臭装置。
【発明の詳細な説明】
【発明の詳細な説明】
【技術分野】
【０００１】  本発明は、トイレ使用後の便臭を簡易に排除し、快適な環境を整える簡易脱臭装置に関するものである。
【背景技術】
【０００２】
【特許文献】  特開２００２−１７６１５
【０００３】    従来の脱臭装置はウオシュレットなどの高級トイレに内蔵された脱臭装置や手動によるスプレー式噴霧装置、又は室内に固定され一定間隔で噴霧されるものが既に商品化されているが、構造が複雑であったり、高価であった。
また、上記文献には、吸引装置を利用して、便座に敷くシートペーパーを自動的に敷く装置が提案されているが、トイレの使用後の脱臭を行うものではなかった。
本発明は、家庭の主婦等が容易に取り付け可能な簡易なトイレの脱臭装置で、低価格の商品を提案する。
【発明の開示】
【発明が解決しようとする課題】
【０００４】  本発明は、従来既にある脱臭目的の手動による噴霧器や部屋に取り付けられて時間間隔をおいて噴霧される装置などの利点を持ち合わせ、尚且つ簡易性や取り付け・取り外しの容易性を狙ったものである。
洋式便座、又は和式便座であっても取り付け位置がマジックテープ又はネジ止めなどにより簡易に取り付けができる。
【課題を解決するための手段】
【０００５】  本発明は、一般家庭用等の主に洋式トイレにおいて、トイレの便座の蓋周辺部分を中空とし、この中空部分に便器内と連通する適宜数の連通孔を有すると共に、該中空部が吸引装置に連結され、排便後の便臭を集気し、トイレ外へ排出することを特徴とする。（請求項１）和式トイレ等においては、トイレの便器の縁部分に中空部を設けるか、又は該縁部分に沿って中空パイプを取り付け、この中空部分に便器内と連通する適宜数の連通孔を有すると共に、該中空部が吸引装置に連結され、排便後の便臭を集気し、トイレ外へ排出する。（請求項２）
また、吸引した便臭を脱臭装置に導入し、便臭を脱臭してトイレ内又はトイレ外へ排出する。（請求項３）更には、吸引装置の作動が、トイレのドアの開閉と連動し、ドアを開いた後、又は手動スイッチにより、吸引装置が約５分間作動するタイマーが吸引装置に装置された。（請求項４）また、洋式トイレにおいて、吸引装置の作動は、トイレ使用者が便座に荷重をかけた場合に連動し、作動するスイッチが吸引装置に装置される。（請求項５）室内据え置き式ポータブルトイレにおいて、トイレ使用時、及び使用後の一定時間、間歇的に吸引装置が作動するタイマーを装置した。（請求項６）
【発明の効果】
【０００６】  本発明は、以上の構成をとったことにより、以下の効果を有する。
即ち、洋式あるいは和式更には屋内据え置き式のポータブルトイレにおいても、トイレ使用後に、速やかに便臭を排出あるいは脱臭し、トイレ内及び家屋内を快適な環境に短時間で回復する事が出来た。しかも、トイレ建設時には勿論、既設のトイレにも設置可能な構成としたために、安価に、脱臭する事が可能である。
【発明を実施するための最良の形態】
【０００７】  請求項１或いは２の実施例としては、洋式便器の蓋の便器に接する縁部に中空のパイプを取り付ける。このパイプには、便器に連通する孔が穿孔されている。又和式便器の上端縁部に中空部を形成するかまたは、便器の上端縁部の沿って中空パイプを取り付け、このパイプに便器に連通する孔が穿孔されている。この穿孔された中空パイプ部には吸引装置が連接されており、吸引装置によって吸引された空気（便臭を吸引した空気）は屋外にまで連接された排気パイプによって導かれ屋外に排出される。又は、上記のように吸引された便臭は、消臭装置に導入されて消臭され、トイレ内或いは屋外に排出される。【０００８】  便器内で、上記のように捕集された便臭の消臭方法を更に詳細に説明する。
図１に示すとおり、外部形状は名刺入れケースより若干大きめのケースに入っており、この中に吸気・排気ファインモータ１と脱臭溶液２が入っている。吸気・排気ファインモータの出力は１ワット程度のモーターを使用し、電池もしくはＡＣアダプターを介して家庭用電源のコンセントに接続される。又ケース両端からビニールホースが出ており、吸気・排気ホースの拡大図で左右に取り付いたものそれぞれ６０ｃｍある。吸気・排気穴  ホースは直径４ミリあり、穿孔は直径２ミリで全長に亘り８個開いている（図３に模式的に示す）。これは便座に粘着テープにて貼り付け固定される。片方が吸気側ホース３でもう１方が脱臭液の気化したものが排気される排気ホース４である。この脱臭液２は通常の使用頻度（４人家族）で約１ヶ月間効力を持つようにセットされる。大きさはカメラのフィルムケース大の入れ物で簡易に交換できる形状となっている。【０００９】  脱臭、消臭液などについて更に詳細に説明すると、脱臭・消臭液は上記のように、円筒形又は直方体の容器に、液状、ゼリー状、粒状などの形態で、充填され、また、スポンジ状の物質に消臭・脱臭液を吸着させるという様々な形態をとることができる。粒状、スポンジ吸着などその間隙が通気性を持つ場合には、上記の容器を満たすように充填しても良いが、液状などの場合には、容器の５０〜８０％に充填し、この液から蒸発した消臭・脱臭成分が容器の上部を吸引により通過する吸気と混合されて消臭又は脱臭される。上記の間隙のある消臭・脱臭剤の形態の場合は、容器のほぼ全周にわたって穿孔を設け、吸引された便臭が消臭・脱臭液と良好に接触するようにする。液状体を充填する場合は容器の液面より上部に穿孔する。取り扱いやすさの面からゼリー状もしくは高吸水性ポリマーに脱臭・消臭液を吸着させてイクラ状の粒状にさせたものが良好である。また、この脱臭・消臭液には芳香剤や臭気成分を吸着する活性炭素を使用又は混合しても良く、特にヒノキチオールといわれる芳香と殺菌作用のあるものなどがより好適である。【００１０】  吸気ファンの位置は、消臭・脱臭容器の上流側、下流側のいずれの位置にもとりつけられるが、上流側１箇所にする方がモーターへの負担を軽減でき、低出力のモーターで対応でき経済的である。【００１１】  本発明のトイレの仕様機作は、トイレ使用後の便臭は便器の上端周辺等に設けられた中空部分に開けられた穿孔部より便臭が吸引装置により吸引され、この吸引空気が吸気ホース３を経由して、消臭装置に導入され、消臭装置通過後の空気は脱臭されて排気ホース４を経由してトイレ内又は屋外に排出される。【００１２】  尚、作動機能として、一般家庭向けのものは洋式便座に座るものは座った間だけ作動スイッチが作動して作動し、和式便座は押しボタンにて約５分間作動するものとする。高齢者や障害者を持つ家庭ではトイレに入ると自動的に作動し約５分間作動するものにする。  寝たきり老人が使用する、据置型の簡易トイレは糞尿の始末が即行えない状況を考え、タイマー付で間欠作動し、排出濃度（排気風速強度）も調整できるものとした。【００１３】  使用する部品は、低価格化・簡易性・安全性を目指し、同時にこの脱臭装置が何れ廃棄されるときに自然に戻る（大地���帰る）素材選びを徹底させることである。例えば、各部品には、生分解性プラスチックや木質材料を主材料として使用する。  又、脱臭液の液濃度とゼリー状の混ぜ合わせ割合を工夫し４人家族の使用状態にて１ヶ月使用できる割合を決定することである。【００１４】  また本発明は、簡易装着性を主眼とし、例えば洋式便座にたいしては便器の蓋に装置する中空部（中空パイプ）はマジックテープにて容易に着脱できる形態とし、消臭装置や吸気・排気ホース類も強力粘着テープにより便器に容易に取り付けできるようにする。
脱臭液は適宜交換できる形態とし、脱臭液収容部にカセット式にして入れ替えるのみで、交換ができるようにする。
高齢者・障害者向けの例えばポータブルトイレにおいても、便座に座るのみで作動スイッチが入り、立てばスイッチが切れるような構造とする。
【図面の簡単な説明】
【００１５】
【図１】  本発明の消臭装置を模式的に示す側面図である。
【図２】  本発明の消臭装置を模式的に示す平面図である。
【図３】  洋式便器の蓋等に、取り付ける吸引部分の模式図である。
【符号の説明】
【００１４】    １．吸気・排気ファインモータ
２．脱臭液詰め込みカプセル
３．排気ホース
４．吸気ホース
【図１】
2005163512.tif 000003
【図２】
2005163512.tif 000004
【図３】
2005163512.tif 000005